(57)【要約】  本発明は、衣服、特に、着用者の身体を少なくとも部分的に覆うセクション（２）を有するスポーツ用衣服であって、セクション（２）が、空気流（Ｆ）を衣服（１）の外側からセクション（２）を通して衣服（１）の内側へ流して着用者の身体の一部を冷やすための少なくとも１つの通気部材（３）を有する衣服（１）に関する。衣服着用者の運動中に冷やすことを改良するため、本発明は、作動手段（４）が、衣服（１）の使用中に着用者の身体の一部の動きに応じて通気部材（３）を開閉するように配置されることを提案する。【選択図】図３
2016523316.tif 000002
【特許請求の範囲】
【請求項１】
衣服、特に、着用者の身体を少なくとも部分的に覆うセクション（２）を有するスポーツ用衣服であって、前記セクション（２）が、空気流（Ｆ）を前記衣服（１）の外側から前記セクション（２）を通して前記衣服（１）の内側へ流して着用者の身体の一部を冷やすための少なくとも１つの通気部材（３）を有する衣服において、
作動手段（４）が、前記衣服（１）の使用中に着用者の身体の一部の動きに応じて前記通気部材（３）を開閉するように配置されることを特徴とする、衣服（１）。
【請求項２】
前記作動手段（４）は、材料セクションを備え、該セクションは、前記通気部材（３）を有する第１の端部（５）とつながっているとともに、着用者の手または足がある第２の端部（６）とつながっていてよいことを特徴とする、請求項１に記載の衣服。
【請求項３】
前記衣服は、ジャケットまたはシャツであり、前記作動手段（４）は、前記ジャケットまたはシャツのアームスリーブの少なくとも一部を含むことを特徴とする、請求項１または２に記載の衣服（１）。
【請求項４】
前記アームスリーブの前記第２の端部（６）は、着用者の親指（８）用に少なくとも１つの開口（７）を有することを特徴とする、請求項３に記載の衣服。
【請求項５】
前記アームスリーブの前記第２の端部（６）に複数の開口（７’、７’’、７’’’）が設けられ、該開口は、着用者の腕の長手方向（Ｌ）に沿って互いに距離（ｄ）を置いて配置されることを特徴とする、請求項４に記載の衣服。
【請求項６】
前記距離（ｄ）は、１ｃｍから３ｃｍの間であることを特徴とする、請求項５に記載の衣服。
【請求項７】
３つの前記開口（７’、７’’、７’’’）は、前記アームスリーブの前記第２の端部（６）に配置されることを特徴とする、請求項５または６に記載の衣服。
【請求項８】
前記ジャケットまたはシャツの少なくとも前記アームスリーブ、および好ましくはジャケットまたはシャツ全体は、着用者の身体にぴったり密着することを特徴とする、請求項３〜７のうちいずれか一項に記載の衣服。
【請求項９】
前記通気部材（３）は、前記セクション（２）の２つの隣接するエッジ（９、１０）で実現され、該エッジは、閉鎖状態では接触していて、開口状態では間をあけていることを特徴とする、請求項１〜８のうちいずれか一項に記載の衣服。
【請求項１０】
前記エッジ（９、１０）の少なくとも一方は、補強部材を含むか、あるいは補強材料で作製されることを特徴とする、請求項９に記載の衣服。
【請求項１１】
前記２つの隣接するエッジ（９、１０）の剛性は、異なることを特徴とする、請求項９または１０に記載の衣服。
【請求項１２】
前記エッジ（９）の一方は、前記作動手段（４）とつながっていることを特徴とする、請求項９〜１１のうちいずれか一項に記載の衣服。
【請求項１３】
前記作動手段（４）とつながっている前記エッジ（９）の剛性は、前記作動手段（４）とつながっていない前記エッジ（１０）の剛性よりも高いことを特徴とする、請求項１２に記載の衣服。
【請求項１４】
剛性が低い方の前記エッジ（１０）は、剛性を下げるために少なくとも１つのくぼみを有することを特徴とする、請求項１１〜１４のうちいずれか一項に記載の衣服。
【請求項１５】
２つの通気部材（３）は、衣服の脊椎領域または肩胛骨領域に左右対称に配置され、好ましくは前記２つの通気部材（３）は、前記衣服の上方領域に配置されることを特徴とする、請求項１〜１４のうちいずれか一項に記載の衣服。
【発明の詳細な説明】
【技術分野】
【０００１】
本発明は、衣服、特に、着用者の身体を少なくとも部分的に覆うセクションを有するスポーツ用衣服であって、このセクションが、空気流を衣服の外側からこのセクションを通して衣服の内側へ流して着用者の身体の一部を冷やすための少なくとも１つの通気部材を有する衣服に関する。
【０００２】
この種の衣服が米国特許第５７０４０６４号（特許文献１）で知られている。特に周囲温度が高いときは、衣服を通る空気流に配慮して、衣服の着用者にとって快適な温度条件を確立することが有益である。したがって、衣服は、上記の文献に記載されているように、ジャケットの使用中に空気を流せる通気部材を備えている。
【０００３】
また、スポーツ活動中に空気を流せる通気路を有するスポーツ用の服を作製することが有益である。通常必要とされる通気部材は静的である。すなわち衣服の表面に（すなわち前述したセクションに）特定の開口があり、この開口により衣服に空気を流せることは好ましくない。大きな通気用の開口は、スポーツ活動中は有益であるが、衣服がスポーツ向けに使用されていないときはこれに当てはまらない。そのため、通気用の開口は通常必要ではない。
【先行技術文献】
【特許文献】
【０００４】
【特許文献１】米国特許第５７０４０６４号
【発明の概要】
【発明が解決しようとする課題】
【０００５】
このように、スポーツ活動中に衣服を通る空気流を設けるという点で最適化された一般的な種類の衣服だが、スポーツが行われていないときは通常の（通気口のない）特性を有する衣服を提供することが本発明の目的である。さらに、通気作用は、スポーツ活動中に強化しなければならない。そのため、衣服着用者の運動中に冷やすことを改良しなければならない。
【課題を解決するための手段】
【０００６】
本発明によるこの目的の解決策は、作動手段が、衣服の使用中に着用者の身体の一部の動きに応じて通気部材を開閉するように配置されることを特徴とする。
【０００７】
作動手段は、材料セクションを備えていてよく、このセクションは、通気部材を有する第１の端部とつながっているとともに、着用者の手または足がある第２の端部とつながっていてよい。
【０００８】
好ましくは、衣服は、ジャケットまたはシャツであり、作動手段は、ジャケットまたはシャツのアームスリーブの少なくとも一部を含む。
【０００９】
この場合、アームスリーブの第２の端部は、着用者の親指用に好ましくは少なくとも１つの開口を有する。好ましくは、アームスリーブの第２の端部に複数の開口が設けられ、この開口は、着用者の腕の長手方向に沿って互いに距離を置いて配置される。この距離は、１ｃｍから３ｃｍの間であることが有益である。本発明の好適な実施形態では、アームスリーブの第２の端部に配置される３つの開口を提供する。好ましくは、開口は、互いに等間隔に配置される。
【００１０】
ジャケットまたはシャツの少なくともアームスリーブ、および好ましくはジャケットまたはシャツ全体は、着用者の身体にぴったり密着する。
【００１１】
通気部材は、このセクションの２つの隣接するエッジで実現でき、このエッジは、閉鎖状態では接触していて、開口状態では間をあけている。そのため、エッジの少なくとも一方は、補強部材を含むことができるか、あるいは補強材料で作製される。
【００１２】
したがって、２つの隣接するエッジの剛性は、異なることが好ましい。エッジの一方は、作動手段とつながっていてよい。作動手段とつながっているエッジの剛性は、作動手段とつながっていないエッジの剛性よりも高いことが好ましい。剛性が低い方のエッジは、剛性を下げるために少なくとも１つのくぼみを有していてよい。
【００１３】
好ましくは、２つの通気部材は、衣服の脊椎領域または肩胛骨領域に左右対称に配置され、好ましくは２つの通気部材は、衣服の上方領域に配置される。
【００１４】
提供した衣服の設計によって有益な空気流は、必要なとき、すなわちスポーツ活動中に発生する。
【００１５】
したがって、張力を伝達する作動手段が、全体的に有益な長手方向の伸張があるエッジに対して垂直である通気部材の一方のエッジに作用することが極めて有益である。そのため、着用者が自らの腕を前後に振った際に発生する（作動手段の）引っ張り線に対して通気部材が垂直になるということが、例えばランニング中に起こる。
【００１６】
有益には、通気部材の一方のフラップ（一方のエッジに対応する上側フラップ）ともう一方のフラップ（もう一方のエッジに対応する下側フラップ）との間に、剛性の関係が生じる。上側フラップの方が、好ましくは、垂直力が印加された際に力がかかって「パッ」と開くほど高い剛性を有するが、下側フラップは、好ましくはその剛性を下げるために特定のくぼみを有するように設計され、これによって、力が印加された際に「パッ」と開かないようになる。この剛性の差によって通気部材を容易に開くことが可能になる。
【００１７】
通気部材の開口（背面の通気口）は、親指の孔（前述した開口）から、好ましくは肩胛骨の上部に配置された実際の通気部材まで広がっている織物パネルを介して実現される。このつながりによって、着用者が自分の腕を前方に振ったとき、すなわち前記織物パネルにかかる張力が増したときの引っ張り力を直接伝達できる。この織物パネルには、使用者の快適性を考慮するために特定の伸縮性を可能にする材料を使用すべきである。
【００１８】
調整可能な親指の孔は、もう１つの有益な特徴である。この特徴により、通気口を開けるのに印加すべき作動手段に発生する張力の点で、使用者の様々な好みや、様々な腕の長さ、および／または様々なランニング形式に合わせることが可能になる。孔は、好ましくは、衣服の袖の長手軸に沿って約２ｃｍずつ離れていて袖口で終わる３つの連続する開口で構成される。
【００１９】
このように、記載した通気機構を介して着用者の肌にかかる対流作用を増大できるようにすることによって、冷却を達成し、かつ／または支持する。
【００２０】
図面には本発明の一実施形態を示している。
【図面の簡単な説明】
【００２１】
【図１】ジャケットになっているスポーツ用衣服の前面図であり、着用者の手も描かれている図である。
【図２】図１のスポーツ用衣服を着用している着用者の側面図である。
【図３】スポーツ用衣服を着用してランニング中の腕の動きを実行している着用者の側面図である。
【図４】着用者の手と衣服の一部の側面図である。
【発明を実施するための形態】
【００２２】
図１から図４には、スポーツ用ジャケットである衣服１を示している。この衣服は、着用者の一部を公知の方法で覆っている。衣服１は、衣服のセクション２で着用者を覆っている。図１を見ればわかるように、２つの通気部材３は、ジャケットの肩胛骨領域、すなわち衣服の背面側に配置され、前述した衣服１のセクション２に配置される。
【００２３】
通気部材３は、実質的に２つのエッジ９および１０によって画成される。２つのエッジ９、１０は、隣接する位置にあってよい。この位置では、通気部材３は閉鎖される。また、両エッジは、間をあけた位置にあってもよい。つまりこの位置では、２つのエッジ９、１０は、互いに離れて両者の間に開口を形成する。図１では、絵の右半分に通気部材が閉鎖した位置にあるのが示され、絵の左半分に開口した位置が描かれている。この位置では、空気流Ｆは衣服を通って流れることができ、これを図３に概略的に示している。
【００２４】
通気部材３の開閉、すなわち２つのエッジ９と１０との間の相対的な動きは、作動手段４によって制御される。そのような作動手段４は、衣服１のアームスリーブによって確立される。アームスリーブは、通気部材３の領域で終わってエッジ９とつながる第１の端部５を有する。さらに、アームスリーブは、着用者の手の領域で終わる第２の端部６を有する。
【００２５】
着用者が大股で歩く過程では、腕は前方に振れるため、アームスリーブは作動手段４として作用する。なぜなら、アームスリーブは、特に図４に示したように、着用者の手につながっているからである。ここで、アームスリーブは第２の端部６の領域に３つの開口７’、７’’および７’’’を有することが見てわかる。着用者の親指８は、開口のうちの１つを通って伸びることができ、図４に描いた実施形態では、親指８は３つのうちの第１の開口７’を通って伸びている。
【００２６】
そのため、腕の前方への動きは、アームスリーブ４の第２の端部６とともに行われる。アームスリーブ４は、張力を伝達する性質のある材料で作製されるため、第２の端部６の動きは第１の端部５に伝達され、第１の端部が今度はエッジ９をエッジ１０から引き離して通気部材３を開口する。
【００２７】
図４を見ればわかるように、開口７’、７’’、７’’’は、長手方向Ｌに距離ｄを開けて並んでいる。これらの距離は約２ｃｍである。つまり、着用者は、最も適切な開口７’、７’’、７’’’を選択し、自分の親指８を対応する開口に通して誘導し、記載した作用を所望のレベルに応じて調整することができる。
【００２８】
したがって、作動手段４は、着用者の腕の動きに応じて通気部材３を開閉するように配置される。
【００２９】
実施形態では、２つの通気部材３が衣服１の肩胛骨領域で中央平面に左右対称に設けられているのが示されている。もちろん、３つ以上の通気部材３を設けてもよい。
【００３０】
衣服１は、少なくともアームスリーブに関しては、長手方向の張力を着用者の手から通気部材へ、さらに具体的にはエッジ９へ正確に伝達できる弾性材料で構成される。有益には、図示したように、手からエッジ９までの織物材料は、エッジ９で直角に終わる、すなわち着用者の手からエッジ９までの織物材料の長手軸は、通気部材３の開口を形成する２つのエッジ９、１０のスリット構成（図１の右手側を参照）に対して直角である。
【００３１】
通気部材３は、衣服１の内側で空気の流路（図示せず）に隣接してよい。流路は、衣服１の内側の所望の領域に空気を送ることができる。
【符号の説明】
【００３２】
１  衣服
２  セクション
３  通気部材
４  作動手段
５  第１の端部
６  第２の端部
７  開口
７’  開口
７’’  開口
７’’’  開口
８  親指
９  エッジ
１０  エッジ
Ｆ  空流
ｄ  距離
Ｌ  長手方向 
【図１】
2016523316.tif 000003
【図２】
2016523316.tif 000004
【図３】
2016523316.tif 000005
【図４】
2016523316.tif 000006
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
衣服、特にスポーツ用衣服であって、該衣服（１）は、着用者の身体を少なくとも部分的に覆うセクション（２）を有するジャケットまたはシャツであり、前記セクション（２）が、空気流（Ｆ）を前記衣服（１）の外側から前記セクション（２）を通して前記衣服（１）の内側へ流して着用者の身体の一部を冷やすための少なくとも１つの通気部材（３）を有し、作動手段（４）が、前記衣服（１）の使用中に着用者の身体の一部の動きに応じて前記通気部材（３）を開閉するように配置される衣服において、
前記作動手段（４）は、材料セクションを備え、該セクションは、前記通気部材（３）を有する第１の端部（５）とつながっているとともに、着用者の手または足がある第２の端部（６）とつながっているか、又はつながっておらず、前記作動手段（４）は、前記ジャケットまたはシャツのアームスリーブの少なくとも一部を含み、前記アームスリーブの前記第２の端部（６）は、着用者の親指（８）用に少なくとも１つの開口（７）を有することを特徴とする、衣服（１）。
【請求項２】
前記アームスリーブの前記第２の端部（６）に複数の開口（７’、７’’、７’’’）が設けられ、該開口は、着用者の腕の長手方向（Ｌ）に沿って互いに距離（ｄ）を置いて配置されることを特徴とする、請求項１に記載の衣服。
【請求項３】
前記距離（ｄ）は、１ｃｍから３ｃｍの間であることを特徴とする、請求項２に記載の衣服。
【請求項４】
３つの前記開口（７’、７’’、７’’’）は、前記アームスリーブの前記第２の端部（６）に配置されることを特徴とする、請求項２または３に記載の衣服。
【請求項５】
前記ジャケットまたはシャツの少なくとも前記アームスリーブは、着用者の身体にぴったり密着することを特徴とする、請求項１〜４のうちいずれか一項に記載の衣服。
【請求項６】
前記通気部材（３）は、前記セクション（２）の２つの隣接するエッジ（９、１０）で実現され、該エッジは、閉鎖状態では接触していて、開口状態では間をあけていることを特徴とする、請求項１〜５のうちいずれか一項に記載の衣服。
【請求項７】
前記エッジ（９、１０）の少なくとも一方は、補強部材を含むか、あるいは補強材料で作製されることを特徴とする、請求項６に記載の衣服。
【請求項８】
前記２つの隣接するエッジ（９、１０）の剛性は、異なることを特徴とする、請求項６または７に記載の衣服。
【請求項９】
前記エッジ（９）の一方は、前記作動手段（４）とつながっていることを特徴とする、請求項６〜８のうちいずれか一項に記載の衣服。
【請求項１０】
前記作動手段（４）とつながっている前記エッジ（９）の剛性は、前記作動手段（４）とつながっていない前記エッジ（１０）の剛性よりも高いことを特徴とする、請求項９に記載の衣服。
【請求項１１】
剛性が低い方の前記エッジ（１０）は、剛性を下げるために少なくとも１つのくぼみを有することを特徴とする、請求項８〜１０のうちいずれか一項に記載の衣服。
【請求項１２】
２つの通気部材（３）は、衣服の脊椎領域または肩胛骨領域に左右対称に配置され、好ましくは前記２つの通気部材（３）は、前記衣服の上方領域に配置されることを特徴とする、請求項１〜１１のうちいずれか一項に記載の衣服。
【国際調査報告】
2016523316.tif 000007
2016523316.tif 000008